(57)【特許請求の範囲】
【請求項１】
表示部と、
前記表示部に対する、人体の一部による第１のタッチ操作と、前記表示部に対する、前記第１のタッチ操作よりも前記表示部からの前記人体の一部の位置が遠くなる第２のタッチ操作を検出可能な操作検出部と、
前記第１のタッチ操作および前記第２のタッチ操作に応じた制御処理を行う制御部と、
通話処理部と、を備え、
前記制御部は、
検出モードが、前記第１のタッチ操作および前記第２のタッチ操作を検出する第１のモードに設定されている場合に、前記第１のタッチ操作が検出されたとき、前記第１のタッチ操作が検出された領域の大きさが所定の閾値未満であれば、前記検出モードを、前記第２のタッチ操作を検出しない第２のモードに設定し、前記第１のタッチ操作が検出された領域の大きさが前記閾値以上であれば、前記検出モードを、前記第２のモードに設定せず、
前記第２のモードに設定された後、前記通話処理部による通話処理が終了したことに基づいて、前記検出モードを、前記第１のモードに設定する、
ことを特徴とする携帯電子機器。
【請求項２】
請求項１に記載の携帯電子機器において、
前記制御部は、
前記表示部に画面が表示されると、前記検出モードを、前記第１のモードに設定する、
ことを特徴とする携帯電子機器。
【請求項３】
表示部と、前記表示部に対する、人体の一部による第１のタッチ操作と、前記表示部に対する、前記第１のタッチ操作よりも前記表示部からの前記人体の一部の位置が遠くなる第２のタッチ操作を検出可能な操作検出部と、通話処理部と、を備える携帯電子機器の制御方法であって、
前記第１のタッチ操作を検出するステップと、
検出モードが、前記第１のタッチ操作および前記第２のタッチ操作を検出する第１のモードに設定されている場合に、前記第１のタッチ操作が検出されたとき、前記第１のタッチ操作が検出された領域の大きさが所定の閾値未満であれば、前記検出モードを、前記第２のタッチ操作を検出しない第２のモードに設定し、前記第１のタッチ操作が検出された領域の大きさが前記閾値以上であれば、前記検出モードを、前記第２のモードに設定しないステップと、
前記第２のモードに設定された後、前記通話処理部による通話処理が終了したことに基づいて、前記検出モードを、前記第１のモードに設定するステップと、
を含む、
ことを特徴とする制御方法。
【請求項４】
表示部と、前記表示部に対する、人体の一部による第１のタッチ操作と、前記表示部に対する、前記第１のタッチ操作よりも前記表示部からの前記人体の一部の位置が遠くなる第２のタッチ操作を検出可能な操作検出部と、通話処理部と、を備える携帯電子機器のコンピュータに、
検出モードが、前記第１のタッチ操作および前記第２のタッチ操作を検出する第１のモードに設定されている場合に、前記第１のタッチ操作が検出されたとき、前記第１のタッチ操作が検出された領域の大きさが所定の閾値未満であれば、前記検出モードを、前記第２のタッチ操作を検出しない第２のモードに設定し、前記第１のタッチ操作が検出された領域の大きさが前記閾値以上であれば、前記検出モードを、前記第２のモードに設定しない機能と、
前記第２のモードに設定された後、前記通話処理部による通話処理が終了したことに基づいて、前記検出モードを、前記第１のモードに設定する機能と、
を付与する、
ことを特徴とするプログラム。
【発明の詳細な説明】
【技術分野】
【０００１】
本発明は、携帯端末装置、デジタルカメラ、デジタルビデオカメラ、携帯音楽プレーヤー、携帯ゲーム機等の携帯電子機器に関する。携帯端末装置は、携帯電話機、ＰＤＡ（Personal Digital Assistant）、タブレットＰＣ（TabletPC）等を含む。また、本発明は、携帯電子機器に適用できる、携帯電子機器の制御方法およびプログラムに関する。
【背景技術】
【０００２】
近年、携帯電話機等の携帯端末装置では、筐体の正面にタッチパネルを有するディスプレイを配し、ユーザのディスプレイに対する操作をタッチパネルにより検出する構成が主流となっている（特許文献１参照）。
【先行技術文献】
【特許文献】
【０００３】
【特許文献１】特開２０１２−２０３８９５号公報
【発明の概要】
【発明が解決しようとする課題】
【０００４】
ディスプレイに対する操作は、指により行われることが多いが、寒い季節には、防寒用のグローブを装着した指で操作が行われる場合がある。また、屋外での作業する人は作業用のグローブを装着した状態で携帯電子機器を操作したい場合がある。このような場合、グローブ越しに指を検出可能なように高感度で指のタッチを検出するタッチパネルが用いられ得る。しかしながら、グローブを外した状態の指で、高感度に設定されたタッチパネルにタッチ操作を行おうとすると、タッチパネルよりもやや離れた位置でタップ操作やスライド操作等のタッチ操作が検出され、タッチパネルに対する使用者の操作感が劣化する惧れがある。
【０００５】
そこで、本発明は、ディスプレイ上での操作を円滑に行うことができる携帯電子機器を提供することを目的とする。
【課題を解決するための手段】
【０００６】
本発明の第１の態様は、携帯電子機器に関する。本態様に係る携帯電子機器は、表示部と、前記表示部に対する、人体の一部による第１のタッチ操作と、前記表示部に対する、前記第１のタッチ操作よりも前記表示部からの前記人体の一部の位置が遠くなる第２のタッチ操作を検出可能な操作検出部と、前記第１のタッチ操作および前記第２のタッチ操作に応じた制御処理を行う制御部と、を備える。ここで、前記制御部は、検出モードが、前記第１のタッチ操作および前記第２のタッチ操作を検出する第１のモードに設定されている場合に、前記第１のタッチ操作が検出されると、前記検出モードを、前記第２のタッチ操作を検出しない第２のモードに設定する。
【０００７】
本態様に係る携帯電子機器において、前記制御部は、前記表示部に画面が表示されると、前記検出モードを、前記第１のモードに設定する構成とされ得る。
【０００８】
本態様に係る携帯電子機器において、前記制御部は、前記第１のタッチ操作が検出された領域の大きさに応じて、前記検出モードを、前記第１のモードに設定する構成とされ得る。
【０００９】
本態様に係る携帯電子機器において、通話処理部を備える構成とされ得る。この場合、前記制御部は、前記通話処理部による通話処理が終了した後に、前記検出モードを、前記第１のモードに設定する構成とされ得る。
【００１０】
本発明の第２の態様は、表示部と、前記表示部に対する、人体の一部による第１のタッチ操作と、前記表示部に対する、前記第１のタッチ操作よりも前記表示部からの前記人体の一部の位置が遠くなる第２のタッチ操作を検出可能な操作検出部と、を備える携帯電子機器の制御方法に関する。本態様に係る制御方法は、前記第１のタッチ操作を検出するステップと、検出モードが、前記第１のタッチ操作および前記第２のタッチ操作を検出する第１のモードに設定されている場合に、前記第１のタッチ操作が検出されると、前記検出モードを、前記第２のタッチ操作を検出しない第２のモードに設定するステップと、を含む。
【００１１】
本発明の第３の態様は、表示部と、前記表示部に対する、人体の一部による第１のタッチ操作と、前記表示部に対する、前記第１のタッチ操作よりも前記表示部からの前記人体の一部の位置が遠くなる第２のタッチ操作を検出可能な操作検出部と、を備える携帯電子機器のコンピュータに適用されるプログラムに関する。本態様に係るプログラムは、検出モードが、前記第１のタッチ操作および前記第２のタッチ操作を検出する第１のモードに設定されている場合に、前記第１のタッチ操作が検出されると、前記検出モードを、前記第２のタッチ操作を検出しない第２のモードに設定する機能、を付与する。
【発明の効果】
【００１２】
本発明の一態様によれば、ディスプレイ上での操作を円滑に行うことができる携帯電子機器を提供することができる。
【００１３】
本発明の効果ないし意義は、以下に示す実施の形態の説明によりさらに明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１４】
【図１】実施の形態に係る、携帯電話機の構成を示す図である。
【図２】実施の形態に係る、携帯電話機の全体構成を示すブロック図である。
【図３】実施の形態に係る、タッチパネルと検出閾値の関係を示す模式図である。
【図４】実施の形態に係る、ホーム画面が表示されたディスプレイを示す図である。
【図５】実施の形態に係る、タッチパネルとグローブを外した状態の指の位置関係を示す模式図である。
【図６】実施例１に係る、タッチ検出制御処理を示すフローチャートである。
【図７】実施例１に係る、タッチパネルに対する操作状況に応じたタッチ検出部のモードの設定状況を示す模式図である。
【図８】実施例２に係る、タッチ検出制御処理を示すフローチャートである。
【図９】実施例２に係る、タッチパネルに対する操作状況に応じたタッチ検出部のモードの設定状況を示す模式図である。
【図１０】実施例３に係る、通話制御検出制御処理を示すフローチャートである。
【図１１】実施例３に係る、通話状況に応じたタッチ検出部のモードの設定状況を示す模式図である。
【図１２】実施例４に係る、タッチパネルに指をゆっくりと近づけた場合のタッチパネルと指の位置関係を示す模式図および制御部が発行するタッチイベントおよびリリースイベントの発行タイミングを示す概念図である。
【図１３】実施例４に係る、タッチパネルに指をゆっくりと近づけた場合のロック画面への入力例を示す模式図である。
【図１４】実施例４に係る、タッチ検出制御処理を示すフローチャートである。
【図１５】実施例４に係る、タッチパネルに指をゆっくりと近づけた場合にタッチ検出部から出力される検出信号と、制御部が発行するタッチイベントおよびリリースイベントの発行タイミングを示す概念図である。
【図１６】変更例に係る、タッチパネルに指をゆっくりと遠ざけた場合のタッチパネルと指の位置関係を示す模式図および制御部が発行するタッチイベントおよびリリースイベントの発行タイミングを示す概念図である。
【図１７】変更例に係る、タッチ検出制御処理を示すフローチャートである。
【発明を実施するための形態】
【００１５】
以下、本発明の実施の形態について、図面を参照して説明する。
【００１６】
図１（ａ）ないし（ｃ）は、それぞれ、携帯電話機１の正面図、背面図および右側面図である。以下、説明の便宜上、図１（ａ）ないし（ｃ）に示すように、キャビネット２の長手方向を上下方向と定義し、キャビネット２の短手方向を左右方向と定義する。さらに、これら上下方向および左右方向に垂直な方向を前後方向と定義する。
【００１７】
図１（ａ）ないし（ｃ）に示されるように、携帯電話機１は、キャビネット２と、ディスプレイ３と、タッチパネル４と、マイクロフォン５と、通話スピーカ６と、外部スピーカ７と、カメラ８とを含む。
【００１８】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、液晶ディスプレイであり、液晶パネルと、液晶パネルを照明するＬＥＤバックライトを含む。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００１９】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２０】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００２１】
キャビネット２の上部には、背面側にカメラ８が配されている。カメラ８は、携帯電話機１の背面方向に存在する撮影対象を撮影する。カメラ８は、ＣＣＤ、ＣＭＯＳセンサ等の撮像素子と、撮影対象の像を撮像素子に結像させるレンズとを含む。
【００２２】
図２は、携帯電話機１の全体構成を示すブロック図である。
【００２３】
図２に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９と、撮影部２０と、加速度検出部２１とを含む。
【００２４】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーションプログラム（以下、単に「アプリケーション」と称する）、たとえば、電話、メッセージ、電話帳（コンタクツ）、カメラ、ウェブブラウザ、地図、ゲーム、スケジュール管理、等のアプリケーションを含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００２５】
記憶部１２には、プログラムの実行の際、一時的に利用または生成されるデータを記憶するワーキング領域も含まれる。
【００２６】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９、撮影部２０、加速度検出部２１等）を制御する。
【００２７】
画像出力部１３は、図１（ａ）に示すディスプレイ３を含む。画像出力部１３は、制御部１１からの制御信号と画像信号に基づき、ディスプレイ３に画像（画面）を表示する。また、画像出力部１３は、制御部１１からの制御信号に応じて、ディスプレイ３の点灯、消灯および輝度の調整を行う。
【００２８】
タッチ検出部１４は、図１（ａ）に示すタッチパネル４を含み、タッチパネル４に対するタッチ操作を検出する。より具体的には、タッチ検出部１４は、タッチパネル４に対する、ユーザの指などの接触対象が接触する位置（以下、「タッチ位置」と称する）を検出する。タッチ検出部１４は、検出したタッチ位置に基づいて生成された位置信号を制御部１１へ出力する。タッチパネル４に対するタッチ操作は、ディスプレイ３に表示される画面やオブジェクトを対象として行われるものであり、ディスプレイ３に対するタッチ操作である、と言い換えることができる。
【００２９】
タッチ検出部１４は、ユーザの指がディスプレイ３、すなわち、タッチパネル４に近接したときにも、指が近接した位置をタッチ位置として検出する。たとえば、タッチ検出部１４のタッチパネル４が、静電容量式である場合、指がタッチパネル４に近接したときに静電容量の変化が第１の検出閾値を超え、指がタッチパネル４に接触したときに静電容量の変化が第２の検出閾値を超えるように、その感度が調整される。第１、第２の検出閾値により、指がタッチパネル４に近接しているが接触はしていない状態か、指がタッチパネル４に接触している状態かが区別される。タッチ検出部１４は、制御部１１からの命令に応じて、第１、第２の検出閾値の両方を有効にするか、第２の検出閾値のみを有効にするかを変更することができる。
【００３０】
タッチ検出部１４は、所定の時間間隔で静電容量を検出し、静電容量の変化に応じて、タッチ、リリース等のタッチパネル４に対する指のタッチ状態に応じた信号を制御部１１へ出力する。静電容量の検出間隔は、タッチ検出部１４の消費電力に応じて適宜の値に設定され得る。
【００３１】
なお、タッチパネル４を含むキャビネット２の正面が、ガラス等で構成される透明なカバーで覆われる場合、タッチパネル４へ触れようとする指はタッチパネル４でなくカバーに接触する。この場合、タッチパネル４は、指がカバーに接触したとき、あるいはカバーに近接したときにタッチ位置を検出するよう、第１、第２の検出閾値が設定される。
【００３２】
図３（ａ）、（ｂ）は、グローブを装着した指を検出する場合のタッチパネル４と第１、第２の検出閾値の関係を示す模式図である。
【００３３】
たとえば、図３（ａ）に示すように、グローブを装着した指で操作が行われた場合、指はタッチパネル４に接触せず、グローブがタッチパネル４に接触する。他方、図３（ｂ）に示すように、グローブを装着していない指で操作が行われた場合、指が直接タッチパネル４に接触する。第１の検出閾値と第２の検出閾値は、グローブがタッチパネル４に接触したときの指からタッチパネル４までの距離に応じた静電容量と、指がタッチパネル４に接触したときの指からタッチパネル４までの距離に応じた静電容量が区別可能なように設定される。
【００３４】
具体的には、図３（ａ）に示すように、タッチパネル４からやや離れた距離Ｐ１に指が位置付けられた場合に、タッチパネル４に蓄積される静電容量が第１の検出閾値Ｔｈ１に設定される。タッチパネル４からやや離れた距離Ｐ１に相当する第１の検出閾値Ｔｈ１を「グローブタッチ閾値」と称する。
【００３５】
また、図３（ｂ）に示すように、タッチパネル４に近い距離Ｐ２に指が位置付けられている場合に、タッチパネル４に蓄積される静電容量が第２の検出閾値Ｔｈ２（＞第１の検出閾値Ｔｈ１）に設定される。タッチパネル４から近い距離Ｐ２に相当する第２の検出閾値Ｔｈ２を「指タッチ閾値」と称する。なお、距離Ｐ２と距離Ｐ１の間隔は、少なくとも、グローブの厚み分以上の間隔に設定される。
【００３６】
この場合、タッチ検出部１４は、所定の検出タイミングで蓄積された静電容量がグローブタッチ閾値Ｔｈ１以上、且つ、指タッチ閾値Ｔｈ２未満となった場合、グローブを装着した指がタッチパネル４にタッチしたこと（以下、「グローブタッチ」と称する）を示す検出信号を制御部１１に送信する。グローブタッチ後、所定の検出タイミングで蓄積された静電容量がグローブタッチ閾値Ｔｈ１未満となった場合、タッチ検出部１４は、グローブを装着した指がリリースしたこと（以下、「グローブリリース」と称する）を示す検出信号を制御部１１に送信する。また、本実施の形態では、グローブタッチ後、所定の検出タイミングで蓄積された静電容量が指タッチ閾値Ｔｈ２以上となった場合も、タッチ検出部１４は、「グローブリリース」を示す検出信号を制御部１１に送信する。さらに、所定の検出タイミングで蓄積された静電容量が指タッチ閾値Ｔｈ２以上の場合、タッチ検出部１４は、グローブを装着していない指がタッチしたこと（以下、「指タッチ」と称する）を示す検出信号を制御部１１に送信する。指タッチ後、所定の検出タイミングで蓄積された静電容量が指タッチ閾値Ｔｈ２未満となった場合、タッチ検出部１４は、グローブを装着していない指がリリースしたこと（以下、「指リリース」と称する）を示す検出信号を制御部１１に送信する。
【００３７】
このように、本実施の形態にかかるタッチ検出部１４は、グローブタッチ、グローブリリース、指タッチ、指リリースの各検出信号を出力する。制御部１１は、タッチ操作検出用のアプリケーションによりタッチ検出部１４から受信した検出信号の種類の組み合わせに応じてタッチ操作の内容を判定し、タッチ操作に応じた契機信号（イベント）を発行する。以下、タッチパネル４に対する指またはグローブのタッチであると判定された場合に発行されるイベントを「タッチイベント」、タッチパネル４からの指またはグローブのリリースであると判定された場合に発行されるイベントを「リリースイベント」と称する。制御部１１は、タッチ操作検出用のアプリケーションとは別のアプリケーションにおいて、タッチ操作に関するイベントの通知を受け取り、タッチ操作に応じた処理を実行させる。別のアプリケーションでは、グローブタッチ、指タッチの種別を意識することなく、タッチ操作に応じた制御処理が実行される。
【００３８】
ユーザは、タッチパネル４が設けられることにより、タッチパネル４に指を触れるあるいは近接させることにより、ディスプレイ３に対し様々なタッチ操作を行うことができる。タッチ操作は、たとえば、タップ操作、フリック操作、スライド操作等を含む。タップ操作とは、ユーザがタッチパネル４に指を接触あるいは近接させた後、短時間のうちに指をタッチパネル４から離す操作である。フリック操作とは、ユーザがタッチパネル４に指を接触あるいは近接させた後、タッチパネル４を指で任意の方向に弾くあるいは掃う操作である。スライド操作とは、ユーザがタッチパネル４に指を接触あるいは近接させたまま、任意の方向へ指を移動させる操作である。
【００３９】
たとえば、タッチ検出部１４がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００４０】
音声入力部１５は、マイクロフォン５を含む。音声入力部１５は、マイクロフォン５からの電気信号を音声処理部１７へ出力する。
【００４１】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００４２】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４３】
キー入力部１８は、少なくとも１つ以上のハードキーを含む。たとえば、キー入力部１８は、携帯電話機１に電源を投入するための電源キー等を含む。キー入力部１８は、押下されたハードキーに対応する信号を制御部１１に出力する。
【００４４】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４５】
撮影部２０は、図１（ｂ）に示すカメラ８、撮像制御回路などを含む。撮影部２０は、制御部１１からの制御信号に従って動画または静止画を撮影し、撮影された動画の動画データまたは静止画の静止画データに各種の画像処理およびエンコード処理を施し、処理後の動画データまたは静止画データを制御部１１に出力する。
【００４６】
加速度検出部２１は、３軸加速度センサを含む。３軸加速度センサは、携帯電話機１の前後方向、上下方向および左右方向の３方向に生じる加速度を検出する。加速度検出部２１は、３軸加速度センサが検出した加速度を示す加速度信号を制御部１１に出力する。
【００４７】
図４は、ホーム画面１０１が表示されたディスプレイ３を示す図である。
【００４８】
携帯電話機１では、種々の画面がディスプレイ３に表示され、画面上においてユーザにより種々のタッチ操作がなされる。たとえば、初期画面として、ホーム画面１０１がディスプレイ３に表示される。図４に示すように、ホーム画面１０１は、各種のアプリケーションを起動するための起動用アイコン１０１ａを含む。起動用アイコン１０１ａには、たとえば、電話アイコン１０１ｂ、メールアイコン１０１ｃ、電話帳アイコン１０１ｄ、ブラウザアイコン１０１ｅ等が含まれる。
【００４９】
ディスプレイ３には、ホーム画面１０１の他に、通知バー１０２および操作キー群１０３が表示される。通知バー１０２は、ディスプレイ３に表示されたホーム画面１０１の上方に表示される。通知バー１０２は、現在時刻、バッテリー残量を示す残量メータ、電波の強度を示す強度メータ等を含む。操作キー群１０３は、ホーム画面１０１の下方に表示される。操作キー群１０３は、設定キー１０３ａ、ホームキー１０３ｂおよびバックキー１０３ｃから構成されている。設定キー１０３ａは、主に、各種設定を行う設定画面をディスプレイ３に表示させるためのキーである。ホームキー１０３ｂは、主に、ディスプレイ３の表示を他の画面からホーム画面１０１に移行させるためのキーである。バックキー１０３ｃは、主に、実行された処理を１ステップ前の処理に戻すためのキーである。
【００５０】
各種アプリケーションを利用する場合、ユーザは、利用するアプリケーションに対応する起動用アイコン１０１ａに対してタップ操作を行う。アプリケーションが起動されて、アプリケーションに基づく実行画面が表示される。なお、実行されたアプリケーションの実行画面が表示されても、あるいは、アプリケーションの進行に伴って実行画面が遷移しても、通知バー１０２は、ディスプレイ３に表示され続ける。
【００５１】
＜実施例１＞
ところで、ユーザによるディスプレイ３に対する操作は、通常、指により行われることが多いが、寒い季節には、グローブを装着した指で操作が行われる場合もある。しかしながら、寒い季節であっても、室内等ではグローブを外して指により操作が行われ得る。
【００５２】
図５（ａ）、（ｂ）は、タッチパネル４とグローブを外した状態の指の位置関係を示す模式図である。
【００５３】
たとえば、図５（ａ）に示すように、グローブを外した状態で指をタッチパネル４に近付けると、まず、タッチパネル４に蓄積される静電容量がグローブタッチ閾値Ｔｈ１を超える。そして、その後、グローブを装着した指によるタッチ操作を想定した感度でタッチ操作が検出される。この場合、図５（ｂ）に示すように、グローブを装着していない指でタッチパネル４の操作を行おうとすると、タッチパネル４よりもやや離れた位置でタップ操作やスライド操作等のタッチ操作が検出され、タッチパネル４に対する使用者の操作感が劣化する惧れがある。
【００５４】
ここで、一度、タッチ検出部１４において指タッチが検出された後のタッチ操作は、グローブが装着されていない指による操作である可能性が高い。そこで、本実施例１の携帯電話機１では、グローブを装着した指に適したタッチパネル４の感度が設定された「高感度モード」と、グローブを装着していない指に適したタッチパネル４の感度が設定された「通常モード」が切り換えられるための制御処理、すなわち、モード切り替え制御処理が、制御部１１によって実行される。たとえば、「高感度モード」では、グローブタッチ閾値Ｔｈ１、指タッチ閾値Ｔｈ２の両方が有効になるように設定され、「通常モード」では、指タッチ閾値Ｔｈ２のみが有効となるように設定される。
【００５５】
図６は、実施例１に係るタッチ検出制御処理を示すフローチャートである。図６の制御処理は、携帯電話機１の起動により開始され、各アプリケーションの制御処理等、他の制御処理とともに、並列して実行される。
【００５６】
携帯電話機１が起動されると、タッチ検出制御処理が実行され、タッチ検出制御処理において、モード切り替え制御処理が実行される。図６に示すタッチ検出制御処理のＳ１０１、Ｓ１０２およびＳ１０７、Ｓ１１１の処理が、上述のモード切り替え制御処理に相当する。
【００５７】
携帯電話機１が起動されると、まず、制御部１１は、ディスプレイ３の画面表示が開始されたか否かを監視する（Ｓ１０１）。ここで、ディスプレイ３の画面表示の開始は、電源起動後に図４に示すホーム画面が表示された場合や、スリープ状態からロックを解除した後にホーム画面または所定のアプリケーションの画面が表示された場合等を含む。スリープ状態とは、電源は投入されているものの、ディスプレイ３が消灯されるとともに、ディスプレイ３に対するタッチ操作が無効とされる、あるいは制限される状態である。
【００５８】
ディスプレイ３に画面表示が開始されると（Ｓ１０１：ＹＥＳ）、制御部１１は、タッチ検出部１４を高感度モードに設定する（Ｓ１０２）。これにより、タッチ検出部１４では、図３（ａ）、（ｂ）に示す距離Ｐ１、Ｐ２にそれぞれ対応するグローブタッチ閾値Ｔｈ１、指タッチ閾値Ｔｈ２が有効に設定される。この場合、タッチ検出部１４からは、所定の時間間隔ごとに、グローブタッチ、グローブリリース、指タッチおよび指リリースのいずれか１つの検出信号が出力される。
【００５９】
制御部１１は、タッチ検出部１４から検出信号を受信したか否かを判定する（Ｓ１０３）。タッチ検出部１４から検出信号を受信していない場合（Ｓ１０３：ＮＯ）、制御部１１は、ディスプレイ３の画面表示が終了したか否かを判定する（Ｓ１０４）。ディスプレイ３の画面表示が終了しない間（Ｓ１０４：ＮＯ）、制御部１１は、処理をＳ１０３に戻し、タッチ検出部１４から検出信号を受信するのを待つ。タッチ検出部１４から検出信号を受信すると（Ｓ１０３：ＹＥＳ）、制御部１１は、検出信号がグローブタッチであるか（Ｓ１０５）、グローブリリースであるか（Ｓ１０６）、指タッチ（Ｓ１０７）または指リリースであるか（Ｓ１０８）を判定する。
【００６０】
タッチ検出部１４からの検出信号がグローブタッチである場合（Ｓ１０５：ＹＥＳ）、制御部１１は、タッチパネル４に対するタッチイベントを発行する（Ｓ１０９）。タッチ検出部１４からの検出信号がグローブリリースである場合（Ｓ１０６：ＹＥＳ）、制御部１１は、タッチパネル４に対するリリースイベントを発行する（Ｓ１１０）。これにより、各アプリケーションは、図３（ａ）に示すようにグローブを装着した指のタッチ操作を検出し、タッチ操作に応じた機能を実行する。
【００６１】
タッチ検出部１４からの検出信号が指タッチである場合（Ｓ１０７：ＹＥＳ）、制御部１１は、タッチ検出部１４を通常モードに設定する（Ｓ１１１）。これにより、タッチ検出部１４は、図３（ａ）、（ｂ）に示す距離Ｐ２に対応する指タッチ閾値Ｔｈ２のみが有効に設定される。この場合、タッチ検出部１４からは、所定の時間間隔ごとに、指タッチ、指リリースのいずれか１つの検出信号が出力される。タッチ検出部１４を通常モードに設定した後、制御部１１は、タッチパネル４に対するタッチイベントを発行する（Ｓ１１２）。タッチ検出部１４からの検出信号が指リリースである場合（Ｓ１０８：ＹＥＳ）、制御部１１は、タッチパネル４に対するリリースイベントを発行する（Ｓ１１３）。
【００６２】
こうして、イベントの発行処理が完了、または、タッチ検出部１４からの検出信号がグローブタッチ、グローブリリース、指タッチおよび指リリースのいずれでもない場合（Ｓ１０８：ＮＯ）、制御部１１は、処理をＳ１０４に進め、画面表示が終了したと判定しなければ、次のタッチ検出部１４からの信号の受信を監視する（Ｓ１０３）。
【００６３】
画面表示が終了すると（Ｓ１０４）、制御部１１は、タッチ検出制御処理を完了し、タッチ検出部１４によるタッチ検出処理を停止させる。たとえば、何も操作がなされないまま一定の時間が経過することによりスリープ状態になると、画面表示が終了する。
【００６４】
このようにして、タッチパネル４に対するタッチイベントまたはリリースイベントが発行されると、制御部１１は、ディスプレイ３にその実行画面が表示されたアプリケーションにおいて、通知されたイベントに応じた処理を実行する。たとえば、ディスプレイ３にボタンアイコンが表示されており、ボタンアイコンに対してタッチイベントの後、所定の時間の間にリリースイベントが通知されると、ボタンアイコンに対してタップ操作がなされたとみなされる。この場合、制御部１１は、ディスプレイ３にその実行画面が表示されたアプリケーションにおいて、ボタンアイコンに対してタップ操作がなされた場合の処理を実行する。
【００６５】
＜実施例１による効果＞
図７（ａ）〜（ｄ）は、タッチパネル４に対する操作状況に応じたタッチ検出部１４のモードの設定状況を示す模式図である。
【００６６】
図７（ａ）に示すように、指がタッチパネル４から遠く離れている状態の場合、Ｓ１０２の処理において、タッチ検出部１４が高感度モードに設定される。図７（ａ）に示す状態では、グローブタッチ閾値Ｔｈ１に対応する距離Ｐ１よりも遠くに指が位置づけられている。この場合、タッチ検出部１４から検出信号は出力されず、Ｓ１０３の処理において、ＮＯと判定される。
【００６７】
図７（ｂ）に示すように、グローブを装着した指でタッチパネル４が操作されると、指は、距離Ｐ１と距離Ｐ２の間に位置づけられる。この場合、タッチ検出部１４は、グローブタッチの検出信号を出力し、Ｓ１０５の処理においてＹＥＳと判定される。これにより、Ｓ１０９の処理において、タッチイベントが発行される。その後、グローブを装着した指がタッチパネル４から離されると、指は、距離Ｐ１よりもタッチパネル４から遠くに位置づけられる。この場合、タッチ検出部１４は、グローブリリースの検出信号を出力し、Ｓ１０６の処理においてＹＥＳと判定される。これにより、Ｓ１１０の処理において、リリースイベントが発行される。
【００６８】
このように、本実施例１では、ディスプレイ３への画面表示後、指タッチが一度も検出されていない状態では、タッチ検出部１４が高感度モードに設定されるため、使用者はグローブを装着していても、タッチパネル４に対して適性にタッチ操作を行うことができる。
【００６９】
図７（ｃ）に示すように、グローブを外した指でタッチパネル４が操作されると、指は、距離Ｐ２よりもタッチパネル４に近い位置に位置づけられる。この場合、タッチ検出部１４は、指タッチの検出信号を出力し、Ｓ１０７の処理においてＹＥＳと判定される。これにより、Ｓ１１１の処理において、タッチ検出部１４が通常モードに設定される。そして、Ｓ１１２の処理において、タッチイベントが発行される。その後、指がタッチパネル４から離されると、指は、距離Ｐ２よりも遠くに位置づけられる。この場合、タッチ検出部１４は、指リリースの検出信号を出力し、Ｓ１０８の処理においてＹＥＳと判定される。これにより、Ｓ１１３の処理において、リリースイベントが発行される。
【００７０】
このように、本実施例１では、指タッチが検出された後は、タッチ検出部１４が通常モードに設定されるため、図７（ｄ）に示すように、指が距離Ｐ２よりもタッチパネル４から遠ざけられた状態では、タッチ検出部１４から検出信号が出力されない。したがって、グローブを外した指によりタッチパネル４から離れた位置でタップ操作やスライド操作等のタッチ操作が検出されることを防ぐことができ、使用者の操作感の劣化を防止できる。
【００７１】
その後、ディスプレイ３の画面表示が終了され、再度画面表示が開始されると、Ｓ１０２の処理において、再度、タッチ検出部１４が高感度モードに設定される。
【００７２】
このように、本実施例１では、ディスプレイ３の画面表示が終了した後、再度画面表示が開始された場合、タッチ検出部１４が高感度モードに設定されるため、使用者は前回の画面表示の際に指でタッチ操作し、その後、グローブを装着した場合でも、タッチパネル４に対して適性にタッチ操作を行うことができる。
【００７３】
＜実施例２＞
本実施の形態に係るタッチ検出部１４による指タッチの検出信号は、タッチパネル４に蓄積された静電容量が距離Ｐ２に対応する指タッチ閾値以上の場合に出力される。したがって、タッチ検出部１４による指タッチの検出信号は、指での操作以外に、通話時に頬でタッチパネル４の表面の大部分を覆った場合等にも出力され得る。このような場合にタッチ検出部１４が通常モードに切り替えられると、通話後にグローブを装着した指で円滑にタッチ操作できないことが起こり得る。そこで、本実施例２の携帯電話機１では、タッチ検出部１４から指タッチの検出信号が出力された場合、タッチパネル４がタッチされている領域の面積の大きさに応じて、タッチ検出部１４が通常モードに切り替えられる。
【００７４】
図８は、実施例２に係るタッチ検出制御処理を示すフローチャートである。図８に示すフローチャートは、図６に示す実施例１に係るフローチャートを一部変更するものであり、Ｓ１２１の処理が追加されている。
【００７５】
タッチ検出部１４からの検出信号が指タッチである場合（Ｓ１０７：ＹＥＳ）、制御部１１は、タッチパネル４がタッチされている領域の面積が所定の閾値Ｔａ以上であるか否かを判定する（Ｓ１２１）。たとえば、閾値Ｔａは、通話時に頬がタッチパネル４に接触する面積とタッチ操作時に指が接触する面積とを区別することが可能な値に設定される。タッチされている領域の面積が所定の閾値Ｔａ以上の場合（Ｓ１２１：ＹＥＳ）、制御部１１は、タッチ検出部１４を通常モードに設定せずにタッチイベントを発行する（Ｓ１１２）。タッチされている領域の面積が所定の閾値Ｔａ未満の場合（Ｓ１２１：ＮＯ）、制御部１１は、タッチ検出部１４を通常モードに設定し（Ｓ１１１）、タッチイベントを発行する（Ｓ１１２）。
【００７６】
＜実施例２による効果＞
図９（ａ）、（ｂ）は、タッチパネル４に対する操作状況に応じたタッチ検出部１４のモードの設定状況を示す模式図である。
【００７７】
図９（ａ）に示すように通話時において、タッチパネル４に頬が接触した場合、タッチパネル４がタッチされている領域の面積は、図９（ｂ）に示すようなタッチ操作時においてタッチパネル４がタッチされる領域の面積よりも大きい。したがって、この場合、タッチパネル４がタッチされている領域の面積は、閾値Ｔａを超え、Ｓ１２１の処理においてＹＥＳと判定される。これにより、タッチ検出部１４は通常モードに設定されずに、Ｓ１１２の処理において、タッチイベントが発行される。
【００７８】
このように、本実施例２では、タッチ検出部１４により指タッチが検出されたとしても、タッチパネル４がタッチされている領域の面積が大きい場合は、タッチ検出部１４が通常モードに設定されない。したがって、通話が終了した後に、使用者がグローブを装着したままであっても、円滑にタッチパネル４に対するタッチ操作を行うことができる。また、通話だけでなく留守番電話を確認する際にも、タッチパネル４に頬が接触するため、同様に、留守番電話の再生が終了した後に、使用者がグローブを装着したままであっても、円滑にタッチパネル４に対するタッチ操作を行うことができる。
【００７９】
＜実施例３＞
上記実施例２では、タッチパネル４がタッチされている領域の面積が大きいか否かによって、タッチ検出部１４が通常モードに設定されないように制御されたが、本実施例３の携帯電話機１では、通話が終了したタイミングで、タッチ検出部１４が高感度モードに切り替えられる。
【００８０】
図１０は、実施例３に係る通話制御処理を示すフローチャートである。
【００８１】
図１０に示す通話制御処理のＳ２０３、Ｓ２０４の処理が、上述のモード切り替え制御処理に相当する。
【００８２】
携帯電話機１が起動されると、まず、制御部１１は、通話が開始されたか否かを監視する（Ｓ２０１）。ここで、通話の開始は、使用者からの発信した場合、使用者が着信に対して応答した場合等を含む。通話が開始されると（Ｓ２０１：ＹＥＳ）、制御部１１は、通話画面の表示、受話音声の入出力処理等、通話にかかる処理を実行する（Ｓ２０２）。制御部１１は、通話が終了されたか否かを監視し（Ｓ２０３）、通話が終了していない間（Ｓ２０３：ＮＯ）、通話にかかる処理を継続する。通話が終了すると（Ｓ２０３：ＹＥＳ）、制御部１１は、タッチ検出部１４を高感度モードに設定する（Ｓ２０４）。
【００８３】
＜実施例３による効果＞
図１１（ａ）、（ｂ）は、通話状況に応じたタッチ検出部１４のモードの設定状況を示す模式図である。
【００８４】
図１１（ａ）に示すように通話時には、タッチパネル４の表面に頬が接触するため、図６に示すＳ１１１の処理において、タッチ検出部１４が通常モードに設定される。通話終了時には、タッチパネル４の表面から頬が離されるため、図１０に示すＳ２０４の処理において、タッチ検出部１４が高感度モードに再設定される。
【００８５】
このように、本実施例３では、タッチパネル４の表面に頬が接触することにより、タッチ検出部１４が通常モードに設定されたとしても、通話終了時のタイミングで、タッチ検出部１４が高感度モードに設定される。したがって、通話が終了した後に、使用者がグローブを装着していても、円滑にタッチパネル４に対するタッチ操作を行うことができる。
【００８６】
なお、本実施例３に係る通話制御処理は、上記実施例１に係るタッチ検出制御処理に組み合わせても良いし、実施例２に係るタッチ検出制御処理に組み合わせても良い。
【００８７】
＜実施例４＞
上述のように、タッチ検出部１４は、所定の時間間隔で静電容量を検出し、静電容量の大きさに応じて、グローブタッチ、グローブリリース、指タッチおよび指リリースのいずれかの検出信号を制御部１１に出力する。
【００８８】
図１２（ａ）、（ｂ）は、タッチパネル４に指をゆっくりと近づけた場合のタッチパネル４と指の位置関係を示す模式図である。図１２（ｃ）は、タッチパネル４に指をゆっくりと近づけた場合にタッチ検出部１４から出力される検出信号と、上記実施例１に係る制御部１１が発行するタッチイベントおよびリリースイベントの発行タイミングを示す概念図である。
【００８９】
タッチパネル４に指をゆっくり近づけた場合、まず、図１２（ａ）に示すように指がＰ１とＰ２の間に位置づけられ、タッチ検出部１４は、グローブタッチＧｔの検出信号を出力する。その後の検出タイミングにおいて、図１２（ｂ）に示すように指がＰ２よりもタッチパネル４に近い位置に位置づけられると、タッチ検出部１４は、グローブリリースＧｒの検出信号を出力する。その後の検出タイミングにおいて、図１２（ｂ）に示すように指がＰ２よりもタッチパネル４に近い位置に位置づけられていると、タッチ検出部１４は、指タッチＦｔの検出信号を出力する。その後の検出タイミングにおいて、指がＰ２よりもタッチパネル４から離れた位置に位置づけられると、タッチ検出部１４は、指リリースＦｒの検出信号を出力する。
【００９０】
図６のフローチャートに示すように、上記実施例１の場合、制御部１１は、グローブタッチまたは指タッチごとにタッチイベントを発行し、グローブリリースまたは指リリースごとにリリースイベントを発行する。したがって、指をゆっくり近づけた場合、図１２（ｃ）に示すように、タッチイベントＴ１、リリースイベントＲ１、タッチイベントＴ２およびリリースイベントＲ２の４つのイベントが発行される。
【００９１】
図１３（ａ）、（ｂ）は、上記実施例１に係るタッチ検出制御処理に基づくロック画面１０４への入力例を示す図である。
【００９２】
ロック画面１０４は、入力ボックス１０４ａと、テンキー１０４ｂとを含む。入力ボックス１０４ａには、テンキー１０４ｂに対してタップ操作がなされたキーが入力される。
【００９３】
指をゆっくりとテンキー１０４ｂに近づけた場合、上述のようにタッチイベントＴ１、リリースイベントＲ１、タッチイベントＴ２およびリリースイベントＲ２が発行される。この場合、まず、１組目のタッチイベントＴ１とリリースイベントＲ１によりテンキー１０４ｂに対してタップ操作がなされたとして、図１３（ａ）に示すように、入力ボックス１０４ａにタッチされたテンキー１０４ｂの値がセットされる。そして、２組目のタッチイベントＴ２とリリースイベントＲ２によりテンキー１０４ｂに対してさらにタップ操作がなされたとして、図１３（ｂ）に示すように、入力ボックス１０４ａにタッチされたテンキー１０４ｂの値がセットされる。
【００９４】
このように、グローブタッチ閾値Ｔｈ１と指タッチ閾値Ｔｈ２の両方が設定される高感度モードに設定されたタッチ検出部１４では、使用者がテンキー１０４ｂに対して１回のタップ操作をしようとしているのにもかかわらず、２重のタップ操作として扱われることが起こり得る。
【００９５】
そこで、実施例４では、指をゆっくり近づけた場合に２重のタップ操作として扱われることを防ぐため、イベントスキップ制御処理が、制御部１１によって実行される。
【００９６】
図１４は、実施例４に係るタッチ検出制御処理を示すフローチャートである。図１４に示すフローチャートは、図６に示す実施例１に係るフローチャートを一部変更するものであり、Ｓ１３１〜Ｓ１３７の処理が追加されている。図１４に示すタッチ検出制御処理のＳ１３１〜Ｓ１３７の処理が、上述のイベントスキップ制御処理に相当する。
【００９７】
タッチ検出部１４からの検出信号がグローブリリースである場合（Ｓ１０６：ＹＥＳ）、制御部１１は、タイマーを起動し、タッチ検出部１４からのグローブリリースの検出信号が得られてからの経過時間の計測を開始する（Ｓ１３１）。タイマーが起動されると、制御部１１は、タッチ検出部１４から検出信号を受信したか否かを判定する（Ｓ１３２）。タッチ検出部１４から検出信号を受信していない場合（Ｓ１３２：ＮＯ）、制御部１１は、処理をＳ１３４に進める。タッチ検出部１４から検出信号を受信すると（Ｓ１３２：ＹＥＳ）、制御部１１は、タッチ検出部１４からの検出信号が指タッチであるか否かを判定する（Ｓ１３３）。タッチ検出部１４からの検出信号が指タッチでない場合（Ｓ１３３：ＮＯ）、制御部１１は、タイマーによる計測時間が所定の閾値時間Ｔｔを超えるか否かを判定する（Ｓ１３４）。閾値時間Ｔｔは、少なくとも、タッチ検出部１４が検出信号を出力する時間間隔よりも長い時間に設定される。たとえば、閾値時間Ｔｔは、タッチ検出部１４が検出信号を出力する時間間隔の数倍に設定される。タイマーによる計測時間が閾値時間Ｔｔを超えない場合（Ｓ１３４：ＮＯ）、制御部１１は、処理をＳ１３３に戻す。これにより、タッチ検出部１４からグローブリリースの検出信号が出力されてから閾値時間Ｔｔが経過する間に、タッチ検出部１４から指タッチの検出信号が出力されたか否かが判定される。
【００９８】
閾値時間Ｔｔが経過する間にタッチ検出部１４から指タッチの検出信号を受信した場合（Ｓ１３３：ＹＥＳ）、制御部１１は、タイマーをストップし（Ｓ１３５）、タッチイベント、リリースイベントのどちらも発行せずに、処理をＳ１０４に戻す。このように、グローブリリースの後、短時間の間に指タッチがあった場合、これらの検出信号によるイベント発行がスキップされる。
【００９９】
閾値時間Ｔｔが経過する間にタッチ検出部１４から指タッチの検出信号を受信しないまま（Ｓ１３３：ＮＯ）、タイマーが閾値時間Ｔｔを超えた場合（Ｓ１３４：ＹＥＳ）、制御部１１は、タイマーをストップし（Ｓ１３６）、リリースのイベントを発行する（Ｓ１３７）。このように、グローブリリースと指タッチとが連続しないことが判定されると、グローブを装着した指のリリースであるとして、リリースイベントが発行される。
【０１００】
＜実施例４の効果＞
図１５（ａ）は、タッチパネル４に指をゆっくりと近づけた場合にタッチ検出部１４から出力される検出信号と、実施例４に係る制御部１１が発行するタッチイベントおよびリリースイベントの発行タイミングを示す概念図である。
【０１０１】
タッチパネル４に指をゆっくり近づけた場合、上述のように、タッチ検出部１４は、グローブタッチＧｔ、グローブリリースＧｒ、指タッチＦｔ、指リリースＦｒの順に検出信号を出力する。
【０１０２】
実施例４の場合、図１４に示すフローチャートのように、制御部１１は、グローブタッチＧｔの検出信号を受信すると（Ｓ１０５：ＹＥＳ）、タッチイベントＴ１を発行する（Ｓ１０９）。制御部１１が、グローブリリースＧｒの検出信号を受信した後（Ｓ１０６：ＹＥＳ）、所定の閾値時間Ｔｔが経過する間に（Ｓ１３４：ＮＯ）、指タッチＦｔの検出信号を受信すると（Ｓ１３４：ＹＥＳ）、タッチイベント、リリースイベントの発行がスキップされる。その後、タッチ検出部１４からは指リリースＦｒの検出信号を受信し（Ｓ１０８：ＹＥＳ）、制御部１１は、リリースイベントＲ１を発行する（Ｓ１１３）。
【０１０３】
実施例４の場合、このように、グローブリリースＧｒの後、所定の閾値時間Ｔｔが経過する間に指タッチＦｔの検出信号が受信されると、これらの検出信号によるリリースイベントとタッチイベントがスキップされる。したがって、図１５（ｂ）に示すように、指をゆっくりとテンキー１０４ｂに近づけた場合であっても、１組のタッチイベントＴ１とリリースイベントＲ１しか発行されないため、１回のタップ操作とみなされ、入力ボックス１０４ａに対しては、１つの値が入力される。
【０１０４】
このように、実施例４では、イベントスキップ制御処理により、タッチパネル４に指をゆっくり近づけた場合にタッチ操作が２重のタップ操作として扱われることを抑制することができる。
【０１０５】
以上、本発明の実施の形態について説明したが、本発明は、上記実施の形態等によって何ら制限されるものではなく、また、本発明の実施の形態も、上記以外に種々の変更が可能である。
【０１０６】
＜変更例＞
たとえば、上記実施例１では、図６に示すように、タッチ検出部１４からの検出信号が指タッチである場合に（Ｓ１０７：ＹＥＳ）、タッチ検出部１４が通常モードに設定されたが、タッチ検出部１４から指リリースの検出信号が出力された場合に（Ｓ１０８：ＹＥＳ）、タッチ検出部１４が通常モードに設定されても良い。
【０１０７】
また、上記実施例２では、図８に示すように、タッチ検出部１４からの検出信号が指タッチである場合であっても（Ｓ１０７：ＹＥＳ）、タッチされている領域の面積が所定の閾値Ｔａ以上の場合に（Ｓ１２１：ＹＥＳ）、タッチ検出部１４を通常モードに設定しないように制御された。これに代えて、タッチされている領域の面積が所定の閾値Ｔａ以上の場合に、一旦、タッチ検出部１４を通常モードに設定した後、タッチ検出部１４から指リリースの検出信号が出力された場合に（Ｓ１０８：ＹＥＳ）、タッチ検出部１４が高感度モードに再設定されても良い。
【０１０８】
また、上記実施例１ないし３では、指タッチ検出後にタッチ検出部１４を通常モードに設定することにより、グローブ未着用時に、タッチパネル４から離れた位置でのタッチ操作がタッチ検出部１４で検出されることを抑制した。しかしながら、タッチ検出部１４側が、高感度モードと通常モードの２つの検出モードに設定されるのではなく、制御部１１側において、高感度モードと通常モードの２つの検出モードが設定される構成とし、高感度モードでは、制御部１１によりグローブタッチと指タッチの２つの検出信号が有効とされ、通常モードでは、制御部１１により指タッチの検出信号は有効とされるが、グローブタッチの検出信号は無視されるようにしても良い。
【０１０９】
また、上記実施例４では、図１４に示すように、タッチ検出部１４からの検出信号が指タッチである場合（Ｓ１０７：ＹＥＳ）、上記実施例１と同様にタッチ検出部１４が通常モードに設定されたが（Ｓ１１１）、タッチ検出部１４の感度が調整されなくても良い。
【０１１０】
なお、この場合、タッチ検出部１４は高感度モードとなっているため、図１６（ａ）に指を接触させた状態から、図１６（ｂ）に示すようにタッチパネル４から指をゆっくり遠ざけると、上記実施例４と異なり、２重のタップ操作として扱われることが起こり得る。
【０１１１】
タッチパネル４から指をゆっくり遠ざけた場合、図１６（ｃ）に示すように、タッチ検出部１４は、指タッチＦｔの検出信号を出力し、その後の検出タイミングにおいて指リリースＦｒの検出信号を出力する。その後の検出タイミングにおいて、タッチ検出部１４は、グローブタッチＧｔの検出信号を出力し、その後の検出タイミングにおいてグローブリリースＧｒの検出信号を出力する。したがって、この場合、タッチイベントＴ３、リリースイベントＲ３、タッチイベントＴ４およびリリースイベントＲ４の４つのイベントが発行され、２重のタップ操作として扱われる。
【０１１２】
したがって、タッチ検出部１４の感度が調整されない場合、図１７に示すフローチャートのように、指リリースの後に連続するグローブタッチのイベント発行がスキップされる方が望ましい。なお、図１７に示すフローチャートは、図１４に示すフローチャートを一部変更するものであり、Ｓ１４１〜Ｓ１４７の処理が追加されている。
【０１１３】
こうすると、タッチパネル４から指をゆっくり遠ざけた場合にタッチ操作が２重のタップ操作として扱われることを抑制することができる。
【０１１４】
また、上記実施例では、所定の検出タイミングで蓄積された静電容量が閾値Ｔｈ１未満になった場合にグローブリリースを示す信号が出力されたが、所定の検出タイミングで蓄積された静電容量が閾値Ｔｈ１未満になっても、グローブリリースを示す信号が出力されず、例えば、グローブタッチ閾値Ｔｈ３（Ｔｈ３＜Ｔｈ１）未満になった場合にグローブリリースを示す信号が出力されてもよい。この場合、タッチパネル４からやや離れた距離Ｐ１付近でタッチ操作を行う場合、指が振動すること等により、グローブタッチを示す信号とグローブリリースが示す信号が繰り返し出力され、例えば文字入力が繰り返し行われるといったことを抑制することができる。
【０１１５】
さらに、上記実施の形態では、スマートフォン型の携帯電話機に本発明が適用されている。しかしながら、これに限らず、ストレート式、折りたたみ式、スライド式等、他のタイプの携帯電話機に本発明が適用されても良い。
【０１１６】
さらに、本発明は、携帯電話機に限られず、ＰＤＡ（Personal DigitalAssistant）、タブレットＰＣ（Tablet PC）等、種々の携帯端末装置に適用可能である。さらに、本発明は、デジタルカメラ、デジタルビデオカメラ、携帯音楽プレーヤーおよび携帯ゲーム機にも適用可能である。即ち、本発明は、ディスプレイ上で操作が行われる各種の携帯電子機器に適用可能である。
【０１１７】
この他、本発明の実施形態は、特許請求の範囲に示された技術的思想の範囲内において、適宜、種々の変更が可能である。
【符号の説明】
【０１１８】
３  ディスプレイ
４  タッチパネル
１１  制御部
１４  タッチ検出部
１５  音声入力部
１６  音声出力部
１７  音声処理部
１９  通信部
【図１】
0006381989.tif 000002
【図２】
0006381989.tif 000003
【図３】
0006381989.tif 000004
【図４】
0006381989.tif 000005
【図５】
0006381989.tif 000006
【図６】
0006381989.tif 000007
【図７】
0006381989.tif 000008
【図８】
0006381989.tif 000009
【図９】
0006381989.tif 000010
【図１０】
0006381989.tif 000011
【図１１】
0006381989.tif 000012
【図１２】
0006381989.tif 000013
【図１３】
0006381989.tif 000014
【図１４】
0006381989.tif 000015
【図１５】
0006381989.tif 000016
【図１６】
0006381989.tif 000017
【図１７】
0006381989.tif 000018